(57)【特許請求の範囲】
【請求項１】
コンロの天板に開設したバーナ用開口を通して天板上に露出するコンロバーナを囲うようにして天板上に設置するコンロ用五徳であって、
コンロの奥行き方向を前後方向、コンロの幅方向を横方向として、コンロバーナに外嵌させた状態でバーナ用開口を覆うようにして天板上に設置されるバーナリングに外嵌する環状の五徳枠と、五徳枠の横方向中央の前後２箇所と、横方向中央から離れた横方向各側の前後２箇所との計６箇所に放射状に固定された６個の五徳爪と、バーナリングの外周面に形成した凹部に係合する突部とを備え、各五徳爪は、五徳枠から外方にのびる、天板に着座する下辺部と、下辺部の外端の立上り部と、立上り部の上端から内方にのびる上辺部とを有するコ字状に形成されるものにおいて、
横方向各側の前後２個の五徳爪は、上辺部に連続して立上り部よりも横方向外方にのびる延長部を備え、前記２個の五徳爪の両延長部は、両延長部間の前後方向間隔が横方向外方に向けて広がるように横方向に対し傾いた方向に沿って外方にのびる部分を有し、
両延長部に、その横方向外端部から下方に屈曲して天板に着座する第１脚部と、両第１脚部の下部間を結ぶ前後方向に長手の第１連結部と、第１連結部の前後方向中央部から立ち上がって横方向内方にのびる補助五徳爪とが設けられることを特徴とするコンロ用五徳。
【請求項２】
横方向一側の前後２個の五徳爪の前記両延長部と横方向他側の前後２個の五徳爪の前記両延長部とが前記五徳枠の環状中心に関して点対称になるように形成されることを特徴とする請求項１記載のコンロ用五徳。
【請求項３】
コンロの天板後部の横方向中央部に開設したバーナ用開口を通して天板上に露出するコンロバーナを囲うようにして天板上に設置する請求項１記載のコンロ用五徳であって、横方向各側の前後２個の五徳爪の前記両延長部が天板の側端部近傍に達する長さに形成されるものにおいて、
両延長部は、前記上辺部寄りの両第１延長部と、両第１延長部よりも横方向外方に位置し、横方向外端部に前記第１脚部と前記第１連結部と前記補助五徳爪とが設けられた両第２延長部とに２分割され、
両第１延長部に、その横方向外端部から下方に屈曲して天板に着座する第２脚部と、両第２脚部の横方向外方の側縁の下部間を結ぶ前後方向に長手の第２連結部とが設けられ、
両第２延長部に、その横方向内端部から下方に屈曲して天板に着座する、第２脚部に内接可能な第３脚部と、第２連結部よりも上方位置で両第３脚部から横方向外方に突出する突起部と、両突起部を結ぶ前後方向に長手の第３連結部とが設けられ、第３連結部に、第２連結部を第３脚部との間に横方向から挟む挟み部が形成されることを特徴とするコンロ用五徳。
【請求項４】
横方向一側の前後２個の五徳爪の前記両第１延長部及び前記両第２延長部と横方向他側の前後２個の五徳爪の前記両第１延長部及び前記両第２延長部とが夫々前記五徳枠の環状中心に関して点対称になるように形成されることを特徴とする請求項３記載のコンロ用五徳。
【発明の詳細な説明】
【技術分野】
【０００１】
本発明は、コンロの天板上に、天板に開設したバーナ用開口を通して天板上に露出するコンロバーナを囲うようにして設置するコンロ用五徳であって、鍋等の調理容器をバーナ直上位置から横方向にずれた位置にも載置可能なものに関する。
【背景技術】
【０００２】
従来、この種の五徳として、天板の周縁部に形成した段差部に係合する係合部を有する方形の外枠と、外枠からコンロバーナに向けて内方にのびる複数の五徳爪とを備えるものが知られている（例えば、特許文献１参照）。このもので、外枠の上縁の高さは、五徳爪の上縁に近い高さとしており、コンロバーナからの熱が天板の外方に及ぶことを抑制する遮熱効果が外枠で得られるようにしている。
【０００３】
ところで、五徳は、コンロバーナに対し正規の位置関係で設置する必要がある。上記従来例のものでは、天板に対する五徳の位置相関は確保できるが、コンロバーナや天板の設置位置のずれで天板とコンロバーナの位置相関が狂うと、コンロバーナに対する五徳の位置相関も狂ってしまう。また、五徳に大型の調理容器を載置した場合、コンロバーナからの燃焼ガスが外枠に当って外方にスムーズに抜け出なくなり、外枠の過熱を生じて五徳が早期に劣化してしまう。
【０００４】
また、従来、コンロの奥行き方向を前後方向、コンロの幅方向を横方向として、コンロバーナに外嵌させた状態でバーナ用開口を覆うようにして天板上に設置されるバーナリングに外嵌する環状の五徳枠と、五徳枠の横方向中央の前後２箇所と、横方向中央から離れた横方向各側の前後２箇所との計６箇所に放射状に固定された６個の五徳爪と、バーナリングの外周面に形成した凹部に係合する突部とを備える五徳も知られている（例えば、特許文献２参照）。
【０００５】
これによれば、コンロバーナに対する位置相関が確保されるバーナリングに五徳枠が外嵌することで、コンロバーナに対し五徳が芯決めされ、更に、バーナリングの外周面の凹部に突部を係合させることで、コンロバーナに対し五徳が位相決めされ、コンロバーナに対する五徳の位置相関が確保される。また、外枠が設けられていないため、外枠の過熱による劣化も生じない。
【０００６】
ここで、特許文献２に記載の五徳の各五徳爪は、五徳枠から外方にのびる下辺部と、下辺部の外端の立上り部と、立上り部の上端から内方にのびる上辺部とを有するコ字状に形成されている。そして、全ての五徳爪が同じ大きさであるため、調理容器をバーナ直上位置から横方向にずらすと、横方向各側の五徳爪から調理容器がはみ出してしまい、調理容器をバーナ直上位置から横方向にずれた位置に載置することはできない。
【先行技術文献】
【特許文献】
【０００７】
【特許文献１】特開平８−３０３７９６号公報
【特許文献２】特開２０１０−２１０４号公報
【発明の概要】
【発明が解決しようとする課題】
【０００８】
本発明は、以上の点に鑑み、調理容器をバーナ直上位置から横方向にずれた位置にも載置可能なコンロ用五徳であって、特許文献２記載の技術を利用して、コンロバーナに対する位置相関を確保できると共に過熱による劣化も防止できるようにしたものを提供することをその課題としている。
【課題を解決するための手段】
【０００９】
上記課題を解決するために、本発明は、コンロの天板上に、天板に開設したバーナ用開口を通して天板上に露出するコンロバーナを囲うようにして設置するコンロ用五徳であって、コンロの奥行き方向を前後方向、コンロの幅方向を横方向として、コンロバーナに外嵌させた状態でバーナ用開口を覆うようにして天板上に設置されるバーナリングに外嵌する環状の五徳枠と、五徳枠の横方向中央の前後２箇所と、横方向中央から離れた横方向各側の前後２箇所との計６箇所に放射状に固定された６個の五徳爪と、バーナリングの外周面に形成した凹部に係合する突部とを備え、各五徳爪は、五徳枠から外方にのびる、天板に着座する下辺部と、下辺部の外端の立上り部と、立上り部の上端から内方にのびる上辺部とを有するコ字状に形成されるものにおいて、横方向各側の前後２個の五徳爪は、上辺部に連続して立上り部よりも横方向外方にのびる延長部を備え、前記２個の五徳爪の両延長部は、両延長部間の前後方向間隔が横方向外方に向けて広がるように横方向に対し傾いた方向に沿って外方にのびる部分を有し、両延長部に、その横方向外端部から下方に屈曲して天板に着座する第１脚部と、両第１脚部の下部間を結ぶ前後方向に長手の第１連結部と、第１連結部の前後方向中央部から立ち上がって横方向内方にのびる補助五徳爪とが設けられることを特徴とする。
【００１０】
本発明によれば、調理容器をバーナ直上位置から横方向にずれた位置に載置しても、横方向各側の前後２個の五徳爪の両延長部と補助五徳爪とにより調理容器を支持できる。即ち、両延長部間の前後方向間隔が横方向外方に向けて広がるため、比較的大きな調理容器もバーナ直上位置から横方向にずれた位置に両延長部で安定に支持でき、また、両延長部の横方向外端部間の前後方向中央に補助五徳爪が設けられるため、両延長部の横方向外端部間の前後方向距離より直径が小さな調理容器もバーナ直上位置から横方向にずれた位置に両延長部の前後方向距離が狭い部分と補助五徳爪とで安定に支持できる。更に、各延長部は、立上り部と第１脚部とにより両端支持されるから、延長部の支持剛性が確保され、調理容器が重くてもこれを安定して支持できる。
【００１１】
また、特許文献２記載のものと同様に、バーナリングに外嵌する五徳枠と、バーナリングの外周面の凹部に係合する突部とにより、五徳をコンロバーナに対し芯決め及び位相決めできるため、コンロバーナに対する五徳の位置相関を確保できる。更に、第１連結部の上方に第１脚部と補助五徳爪との間の空間が確保されるため、五徳に大型の調理容器を載置した場合にも、コンロバーナから調理容器の底面に沿って横方向外方に流れる燃焼ガスは上記空間を通して外方にスムーズに抜け出るようになり、過熱による五徳の劣化も防止できる。
【００１２】
また、本発明においては、横方向一側の前後２個の五徳爪の両延長部と横方向他側の前後２個の五徳爪の両延長部とを五徳枠の環状中心に関して点対称になるように形成することが望ましい。これによれば、五徳を左右に１８０°反転した状態でも使用でき、そのため、五徳を左右や前後の方向性を気にすることなく天板上に設置できて、使い勝手が良好になる。
【００１３】
ところで、天板後部の横方向中央部に開設したバーナ用開口を通して天板上に露出するコンロバーナを囲うようにして天板上に設置する五徳において、横方向各側の前後２個の五徳爪の両延長部を天板の側端部近傍に達するように長く形成すれば、天板前部の左右に位置する各コンロバーナの直上位置から後方にずれた位置にも調理容器を載置でき、便利である。然し、これでは、五徳が長くなり過ぎてシンクや食器洗浄機に入らず、五徳を丸洗いできなくなる。そのため、両延長部を、上辺部寄りの両第１延長部と、両第１延長部よりも横方向外方に位置し、横方向外端部に前記第１脚部と前記第１連結部と前記補助五徳爪とが設けられた両第２延長部とに２分割することが望まれる。
【００１４】
この場合、両第１延長部に、その横方向外端部から下方に屈曲して天板に着座する第２脚部と、両第２脚部の横方向外方の側縁の下部間を結ぶ前後方向に長手の第２連結部とを設けると共に、両第２延長部に、その横方向内端部から下方に屈曲して天板に着座する、第２脚部に内接可能な第３脚部と、第２連結部よりも上方位置で両第３脚部から横方向外方に突出する突起部と、両突起部を結ぶ前後方向に長手の第３連結部とを設け、第３連結部に、第２連結部を第３脚部との間に横方向から挟む挟み部を形成することが望ましい。これによれば、第１延長部が対応する五徳爪の立上り部と第２脚部とで両端支持されると共に、第２延長部が第１脚部と第３脚部とで両端支持されることになって、第１と第２の各延長部の支持剛性が確保される。更に、第３脚部を第２脚部に内接させることで第２延長部を第１延長部に対し前後方向に位置決めできると共に、第３脚部と挟み部との間に第２連結部を挟むことで第２延長部を第１延長部に対し横方向にも位置決めできる。
【００１５】
また、横方向一側の前後２個の五徳爪の両第１延長部及び両第２延長部と横方向他側の前後２個の五徳爪の両第１延長部及び両第２延長部とを夫々五徳枠の環状中心に関して点対称になるように形成することが望ましい。これによれば、五徳を第２延長部を含めて左右に１８０°反転した状態でも使用でき、そのため、五徳及び第２延長部を左右や前後の方向性を気にすることなく天板上に設置できて、使い勝手が良好になる。更に、横方向一側の第２延長部と横方向他側の第２延長部とが同一部品となり、部品共通化によるコストダウンを図ることもできる。
【図面の簡単な説明】
【００１６】
【図１】本発明の実施形態の第１乃至第３の３個の五徳を具備するコンロの斜視図。
【図２】第１五徳を示す斜視図。
【図３】第３五徳を示す斜視図。
【発明を実施するための形態】
【００１７】
図１に示すコンロは、システムキッチンのカウンタトップＣＰに開設したコンロ開口に図示省略したコンロ本体を落とし込むようにして設置するビルトイン式コンロであり、コンロ本体の上面を覆うようにしてカウンタトップＣＰ上に設置されるガラス製の天板１を備えている。
【００１８】
コンロの奥行き方向を前後方向、コンロの幅方向を横方向として、天板１には、その前部の横方向に離隔した左右２箇所と後部の横方向中央との計３箇所にバーナ用開口が開設されている。コンロは、これらバーナ用開口を通して天板１上に露出する第１乃至第３の３個のコンロバーナ２１，２２，２３を備えており、天板１上に、これらコンロバーナ２１，２２，２３を囲うようにして第１乃至第３の３個の五徳３１，３２，３３を設置している。
【００１９】
尚、天板１の最後部には、コンロに組み込んだグリルの排気口を覆う排気ガード１１が設けられている。また、天板１には、その周縁を囲う額縁状の飾り枠１２と、排気ガード１１の前側の仕切り枠１３とが取り付けられている。
【００２０】
天板１上には、更に、各コンロバーナ２１，２２，２３に外嵌させた状態で、各バーナ用開口を覆う各バーナリング２１が設置され、煮こぼれがバーナ用開口からコンロ本体内に落下することを防止できるようにしている。また、各コンロバーナ２１，２２，２３には、各五徳３１，３２，３３に載置する調理容器の底面に当接してその温度を検出する鍋底温度センサ２２と、バーナリング２１に形成した孔２１ｂ及び切欠き２１ｃ（図２、図３参照）を通して上方に突出する点火プラグ２３及び熱電対２４とが付設されている。尚、各バーナリング２１は、孔２１ｂ及び切欠き２１ｃに点火プラグ２３及び熱電対２４を挿通することで、各コンロバーナ２１，２２，２３に対し回り止めされる。
【００２１】
天板１前部の左方に位置する第１コンロバーナ２１に対応する第１五徳３１と、天板１前部の右方に位置する第２コンロバーナ２２に対応する第２五徳３２は形状、大きさが同一である。図１、図２を参照して、これら第１と第２の各五徳３１，３２は、バーナリング２１に外嵌する環状の五徳枠３１と、五徳枠３１の横方向中央の前後２箇所と、横方向中央から離れた横方向各側の前後２箇所との計６箇所に放射状に固定された６個の五徳爪３２と、バーナリング２１の外周面に形成した凹部２１ａに係合する突部３３とを備えている。各五徳爪３２は、五徳枠３１から外方にのびる、天板１に着座する下辺部３２１と、下辺部３２１の外端の立上り部３２２と、立上り部３２２の上端から内方にのびる上辺部３２３とを有するコ字状に形成されている。
【００２２】
尚、下辺部３２１をそのほぼ全長に亘って天板１に着座させることも可能であるが、本実施形態では、下辺部３２１の下縁外端部に下方への張出し部３２１ａを形成して、下辺部３２１がこの張出し部３２１ａで天板１に着座するようにしている。この場合、常時は張出し部３２１ａが天板１から僅かに浮き、ある程度以上の荷重がかかったときに張出し部３２１ａが天板１に着座するようにしてもよい。
【００２３】
凹部２１ａは、バーナリング２１の横方向中央の前後２箇所の外周面の部分に形成されている。また、横方向中央の前後２個の各五徳爪３２に、その下辺部３２１の内端部に位置させて、五徳枠３１の内周面から内方に張出す部分を形成し、この部分で前記突部３３を構成している。
【００２４】
また、第１と第２の各五徳３１，３２は、調理容器をバーナ直上位置から横方向にずれた位置にも載置できるように、以下の如く構成されている。即ち、第１と第２の各五徳３１，３２の横方向各側の前後２個の五徳爪３２，３２は、上辺部３２３に連続して立上り部３２２よりも横方向外方にのびる両延長部３４，３４を備えている。尚、これら両延長部３４，３４は、両延長部３４，３４間の前後方向間隔が横方向外方に向けて広がるように、立上り部３２２から横方向に対し傾いた方向（対応する五徳爪３２の上辺部３２３と同一方向）に沿って外方にのび、横方向外端部寄りの部分で横方向と平行に外方にのびる形状に形成されている。
【００２５】
尚、各五徳３１，３２の横方向一側の前後２個の五徳爪３２，３２の両延長部３４，３４と横方向他側の前後２個の五徳爪３２，３２の両延長部３４，３４とは五徳枠３１の環状中心に関して点対称になるように形成されている。また、各延長部３４の長さは、第１五徳３１の右側の五徳爪３２の延長部３４と第２五徳３２の左側の五徳爪３２の延長部３４とが天板１の横方向中央部で近接対向するように設定され、第１五徳３１の左側の五徳爪３２の延長部３４と第２五徳３２の右側の五徳爪３２の延長部３４とが夫々天板１の左右の側端部近傍に達する。
【００２６】
横方向各側の前後２個の五徳爪３２，３２の両延長部３４，３４には、その横方向外端部から下方に屈曲して天板１に着座する第１脚部３４１，３４１と、両第１脚部３４１，３４１の下部間を結ぶ前後方向に長手の第１連結部３４２と、第１連結部３４２の前後方向中央部から立ち上がって横方向内方にのびる逆Ｌ字状の補助五徳爪３４３とが設けられている。
【００２７】
以上の構成によれば、調理容器を第１と第２の各コンロバーナ２１，２２の直上位置から横方向にずれた位置に載置しても、第１と第２の各五徳３１，３２の横方向各側の前後２個の五徳爪３２の両延長部３４，３４と補助五徳爪３４３とにより調理容器を支持できる。即ち、両延長部３４，３４間の前後方向間隔が横方向外方に向けて広がるため、比較的大きな調理容器もバーナ直上位置から横方向にずれた位置に両延長部３４，３４で安定に支持でき、また、両延長部３４，３４の横方向外端部間の前後方向中央に補助五徳爪３４３が設けられるため、両延長部３４，３４の横方向外端部間の前後方向距離より直径が小さな調理容器もバーナ直上位置から横方向にずれた位置に両延長部３４，３４の前後方向距離が狭い部分と補助五徳爪３４３とで安定に支持できる。更に、各延長部３４は、立上り部３２２と第１脚部３４１とにより両端支持されるから、各延長部３４の支持剛性が確保され、調理容器が重くてもこれを安定して支持できる。
【００２８】
また、各コンロバーナ２１，２２に対する位置相関が確保されるバーナリング２１に五徳枠３１を外嵌させることで、各コンロバーナ２１，２２に対し各五徳３１，３２が芯決めされると共に、バーナリング２１の外周面の凹部２１ａに突部３３を係合させることで、各コンロバーナ２１，２２に対し各五徳３１，３２が位相決めされる。従って、各コンロバーナ２１，２２に対する各五徳３１，３２の位置相関が正確に確保される。更に、第１連結部３４２の上方に第１脚部３４１と補助五徳爪３４３との間の空間が確保され、且つ、補助五徳爪３４３が第１と第２の各コンロバーナ２１，２２の中心方向に向いているため、第１と第２の各五徳３１，３２に大型の調理容器を載置した場合にも、第１と第２の各コンロバーナ２１，２２から調理容器の底面に沿って横方向外方に流れる燃焼ガスは上記空間から補助五徳爪３４３に妨げられることなく外方にスムーズに抜け出るようになり、過熱による五徳の劣化も防止できる。
【００２９】
また、各五徳３１，３２の横方向一側の前後２個の五徳爪３２，３２の両延長部３４，３４と横方向他側の前後２個の五徳爪３２，３２の両延長部３４，３４とを五徳枠３１の環状中心に関して点対称になるように形成しているため、各五徳３１，３２を左右に１８０°反転した状態でも使用できる。従って、第１と第２の各五徳３１，３２を左右や前後の方向性を気にすることなく天板１上に設置でき、使い勝手が良好になる。更に、第１五徳３１と第２五徳３２は形状、大きさが同じ同一部品であるため、部品共通化によるコストダウンを図ることができると共に、五徳３１，３２を左右入れ換えて使用することもでき、使い勝手が一層向上する。
【００３０】
次に、図１、図３を参照して、天板１後部の横方向中央に位置する第３コンロバーナ２３に対応する第３五徳３３について説明する。第３五徳３３は、上記第１、第２五徳３１，３２と同様に、バーナリング２１に外嵌する環状の五徳枠３１と、五徳枠３１の横方向中央の前後２箇所と、横方向中央から離れた横方向各側の前後２箇所との計６箇所に放射状に固定された、下辺部３２１と立上り部３２２と上片部３２３とを有するコ字状の６個の五徳爪３２と、バーナリング２１の外周面に形成した凹部２１ａに係合する突部３３とを備えている。更に、横方向各側の前後２個の五徳爪３２，３２は、上辺部３２３に連続して立上り部３２２よりも横方向外方にのびる両延長部３４，３４を備えており、この点も上記第１、第２五徳３１，３２と同様である。但し、第３五徳３３の延長部３４は、天板１の横方向中央部から天板１の側端部近傍に達するように長く形成されている。そのため、第１と第２の各コンロバーナ２１，２２の直上位置から後方にずれた位置に調理容器を載置することができる。然し、このような長い延長部３４を第３五徳３３と一体に形成すると、第３五徳３３が長くなり過ぎてシンクや食器洗浄機に入らず、第３五徳３３を丸洗いできなくなる。
【００３１】
そこで、第３五徳３３においては、横方向各側の前後２個の五徳爪３２，３２の両延長部３４，３４を、上辺部３２３寄りの両第１延長部３４１、３４１と、両第１延長部３４１、３４１よりも横方向外方に位置し、横方向外端部に上記第１、第２五徳３１，３２と同様の第１脚部３４１，３４１と第１連結部３４２と補助五徳爪３４３とが設けられた両第２延長部３４２、３４２とに２分割している。
【００３２】
両第１延長部３４１，３４１は、横方向各側の前後２個の五徳爪３２，３２の立上り部３２２，３２２から横方向に平行に外方にのびている。また、両第１延長部３４１，３４１には、その横方向外端部から下方に屈曲して天板１に着座する第２脚部３４４，３４４と、両第２脚部３４４，３４４の横方向外方の側縁の下部間を結ぶ前後方向に長手の第２連結部３４５とが設けられている。
【００３３】
両第２延長部３４２，３４２は、横方向に平行に外方にのびてから、両第２延長部３４２，３４２間の前後方向間隔が横方向外方に向けて広がるように横方向に対し傾いた方向に沿って外方にのびている。また、両第２延長部３４２，３４２には、その横方向内端部から下方に屈曲して天板１に着座する、第２脚部３４４，３４４に内接可能（第２脚部３４４，３４４の前後方向に対向する面に当接可能）な第３脚部３４６，３４６と、第２連結部３４５よりも上方位置で両第３脚部３４６，３４６から横方向外方に突出する突起部３４６ａ，３４６ａと、両突起部３４６ａ，３４６ａを結ぶ前後方向に長手の第３連結部３４７とが設けられている。第３連結部３４７には、第２連結部３４５の上縁よりも下方に張り出して、第２連結部３４５を第３脚部３４６との間に横方向から挟む挟み部３４７ａが形成されている。
【００３４】
以上の構成によれば、第３五徳３３から第２延長部３４２を分離できるため、これらをシンクや食器洗浄機に入れて丸洗いすることができる。また、第１延長部３４１が立上り部３２２と第２脚部３４４とで両端支持されると共に、第２延長部３４２が第１脚部３４１と第３脚部３４６とで両端支持されることになって、第１と第２の各延長部３４１，３４２の支持剛性が確保される。更に、第３脚部３４６を第２脚部３４４に内接させることで第２延長部３４２を第１延長部３４１に対し前後方向に位置決めできると共に、第３脚部３４６と挟み部３４７ａとの間に第２連結部３４５を挟むことで第２延長部３４２を第１延長部３４１に対し横方向にも位置決めできる。
【００３５】
また、第３五徳３３の横方向一側の前後２個の五徳爪３２，３２の両第１延長部３４１，３４１及び両第２延長部３４２，３４２と横方向他側の前後２個の五徳爪３２，３２の両第１延長部３４１，３４１及び両第２延長部３４２，３４２とは夫々五徳枠３１の環状中心に関して点対称になるように形成されている。そのため、第３五徳３３を第２延長部３４２も含めて左右に１８０°反転した状態でも使用できる。従って、第３五徳３３及び第２延長部３４２を左右や前後の方向性を気にすることなく天板１上に設置でき、使い勝手が良好になる。更に、横方向一側の第２延長部３４２と横方向他側の第２延長部３４２とが同一部品となり、部品共通化によるコストダウンを図ることもできる。
【００３６】
ところで、第１と第２の各五徳３１，３２から第３五徳３３の延長部３４に調理容器をずらすと、延長部３４に作用する後方への押し力で第３五徳３３が回転変位し、バーナリング２１も第３五徳３３に追従して回転変位する。そして、バーナリング２１がある程度以上回転変位すると、これに挿通する点火プラグ２３等に無理な力がかかってしまう。ここで、本実施形態では、第３五徳３３の後側の第２延長部３４２が横方向に対し後方に傾いた方向に沿って外方にのびる部分を有しているため、この第２延長部３４２の横方向外端部に設けられた第１脚部３４１が天板１上の仕切り枠１３の近傍に位置する。そのため、第３五徳３３の若干の回転変位で第１脚部３４１が仕切り枠１３に当接して、第３五徳３３はそれ以上回転変位しなくなり、点火プラグ２３等に無理な力がかかることを有効に防止できる。
【００３７】
以上、本発明の実施形態について図面を参照して説明したが、本発明はこれに限定されない。例えば、上記実施形態では、第３五徳３３の第２延長部３４２に、横方向に対し傾斜した方向に沿って外方にのびる部分を形成しているが、この部分を第１延長部３４１に形成することも可能である。この場合、第２連結部３４５の前後方向中央部に第２の補助五徳爪を設けることが望ましい。また、バーナリング２１の外周面の凹部２１ａに係合する突部３３を五徳枠３１に形成することも可能である。
【符号の説明】
【００３８】
１…天板、２１，２２，２３…コンロバーナ、２１…バーナリング、２１ａ…凹部、３１，３２，３３…五徳、３１…五徳枠、３２…五徳爪、３２１…下辺部、３２２…立上り部、３２３…上辺部、３３…突部、３４…延長部、３４１…第１延長部、３４２…第２延長部、３４１…第１脚部、３４２…第１連結部、３４３…補助五徳爪、３４４…第２脚部、３４５…第２連結部、３４６…第３脚部、３４６ａ…突起部、３４７…第３連結部、３４７ａ…挟み部。
【図１】
0005395876.tif 000002
【図２】
0005395876.tif 000003
【図３】
0005395876.tif 000004